(57)【要約】【課題】コストがかからず、簡単、スピーディーに、動作テストを行うことのできるガス漏れ警報器を提供する。【解決手段】電源のオン、オフを監視する電源監視回路１２と、電源監視回路１２によって電源のオンが検知される毎に計数を行うカウントメモリー回路１３と、カウントメモリー回路１８が予め設定した計数値を計時したときには、点検モードを開始して擬似試験信号を出力させる擬似試験信号発生回路１４と、ガス検知回路１０から出力されるガス検知信号が所定の警報レベルを超えた場合、あるいは擬似試験信号の出力を受けたときに、警報手段を作動する信号処理部１１と、カウントメモリー回路１３が計時を開始する電源のオン時点から所定の時間が経過した時点、あるいは、その所定の時間が経過するまでの間の点検モードが開始された時点で、カウントメモリー回路１３の計数値をクリアするリセット回路１８とを備えている。【選択図】図１
2004145824.tif 000002
【特許請求の範囲】
【請求項１】
ガス検知回路から出力されるガス検知信号が所定の警報レベルを超えたときにガス漏れを判別して、警報を出力させるガス漏れ警報器において、
電源のオン、オフを監視する電源監視回路と、
この電源監視回路によって電源のオンが検知される毎に計数を行うカウントメモリー回路と、
このカウントメモリー回路が予め設定した計数値を計時したときには、点検モードを開始して擬似試験信号を出力させる擬似試験信号発生回路と、
上記ガス検知回路から出力されるガス検知信号が所定の警報レベルを超えた場合、あるいは擬似試験信号の出力を受けたときに、警報手段を作動する信号処理部と、
上記カウントメモリー回路が計時を開始する電源のオン時点から所定の時間が経過した時点、あるいは、その所定の時間が経過するまでの間の上記点検モードが開始された時点で、上記カウントメモリー回路の計数値をクリアするリセット回路とを備えたガス漏れ警報器。
【請求項２】
請求項１において、
上記ガス検知回路、熱、煙などを検知して検知信号を出力する火災検知回路と、これらの検知信号を判別するための信号処理部とを備えており、
上記擬似試験信号発生回路から出力される擬似試験信号を、上記ガス検知回路、上記火災検知回路のそれぞれに対応した異なる擬似試験信号を出力させて、ガス漏れ、火災検知に対応した警報を出力させる構成としているガス漏れ警報器。
【請求項３】
ガス検知回路から出力されたガス検知信号が所定の警報レベルを超えたときにガス漏れを判別して、警報を出力させるガス漏れ警報器において、
点検スイッチと、
この点検スイッチが操作されたときには、点検モードを開始して擬似試験信号を出力させる擬似試験信号発生回路と、
ガス検知回路から出力されるガス検知信号が所定の警報レベルを超えたとき、あるいは、上記擬似試験信号の出力を受けたときに、警報手段を作動する信号処理部とを備えたガス漏れ警報器。
【請求項４】
請求項３において、
上記点検スイッチは押釦スイッチであり、この押釦スイッチが押圧保持されている間、上記擬似試験信号を出力させる構成としているガス漏れ警報器。
【請求項５】
請求項３において、
上記点検スイッチは残留型押釦スイッチであり、それを一度押圧操作すれば、所定時間の間、上記擬似試験信号を出力させる構成としているガス漏れ警報器。
【請求項６】
請求項３において、
上記点検スイッチは、点検モードと通常モードとを選択的にスライド操作し、点検モードに切替操作されたときには、上記擬似試験信号を出力させる構成としているガス漏れ警報器。
【請求項７】
請求項３において、
上記ガス検知回路、熱、煙などを検知して検知信号を出力する火災検知回路と、これらの検知信号を判別するための信号処理部とを備え、
かつ、上記点検スイッチは、押釦スイッチで構成されており、その押釦スイッチを押圧操作する毎に、上記ガス検知回路、上記火災検知回路のそれぞれに対応した異なる擬似試験信号を出力させて、ガス漏れ、火災検知に対応した警報を出力させる構成としているガス漏れ警報器。
【請求項８】
請求項３において、
上記ガス検知回路、熱、煙などを検知して検知信号を出力する火災検知回路と、これらの検知信号を判別するための信号処理部とを備え、
かつ、上記点検スイッチは、押釦スイッチで構成されており、その押釦スイッチを押圧操作すると、上記ガス検知回路、上記火災検知回路のそれぞれに対応した異なる擬似試験信号を出力させて、ガス漏れ、火災検知に対応した警報を同時に出力させる構成としているガス漏れ警報器。
【請求項９】
請求項１〜８のいずれかにおいて、
最初の電源投入時点から予め通電初期誤報防止時間として設定された時間の間は、上記警報手段の作動を禁止する警報禁止機能を備えており、
上記信号処理部は、上記擬似試験信号を受けたときには、上記警報禁止機能を無効にして上記警報手段を作動させる構成としているガス漏れ警報器。
【請求項１０】
請求項１〜９のいずれかにおいて、
上記擬似試験発生回路から出力される擬似試験信号を、住宅情報盤などの他の監視受信機器に送出するための移報手段を更に備えた構成としているガス漏れ警報器。
【請求項１１】
請求項１〜１０のいずれかにおいて、
上記警報手段が出力する警報の出力時間を規定する警報タイマーを更に備えた構成としているガス漏れ警報器。
【請求項１２】
請求項２，７，８において
ガス漏れ検知時、火災検知時における警報動作を、報知ランプ、アラーム、音声報知などを用いて識別できる構成としたガス漏れ警報器。
【発明の詳細な説明】
【０００１】
【発明の属する技術分野】
本発明は、ガス検知回路から出力されたガス検知信号が所定の警報レベルを超えたときにガス漏れを判別して、警報を出力させるガス漏れ警報器の改良に関する。
【０００２】
【従来の技術】
従来より、特許文献１に示すようなガス漏れ警報器は広く使用されている。
【０００３】
この種のガス漏れ警報器では、その動作確認テストを定期的にすることが義務付けられており、従来のテスト方法としては、図９に示すようなものがある。
【０００４】
すなわち、図９（ａ）では、警報器１００に、ライター型テストガスＧによりブタンガスをガス検知回路１１０に吹きかけ、ガス検知回路１１０の検知素子にブタンガスＧを付着させ、警報出力回路１２０を作動させている。
【０００５】
また、図９（ｂ）では、警報器１１０に、点検治具２００を取り付けることでテストをしている。点検治具２００は、支持棒Ｂに、メタンガス、水素ガス、ＣＯガスなどを詰め込んだガスボンベＧと、ガスボンベＧから排出されるガスを通すチューブＴと、警報器１１０に接触させるアタッチメントＡとを備えている。
【０００６】
ガスボンベＧから排出されたガスは、チューブＴを通って警報器１１０のガス検知回路１１０に吹きかけられ、それが検知素子により検知され警報出力回路１２０を作動させている。なお、アタッチメントＡがあるので、チューブＴからのガスが外部に漏れることがない。
【０００７】
更に、図９（ｃ）では、火災検知機能付ガス漏れ警報器のテスト方法を示しており、熱検知回路１１１にドライヤーＤの熱を吹きかけテストをしている。
【０００８】
【特許文献１】
特開平７−２９６２７８号公報
【発明が解決しようとする課題】
ところが、従来のガス漏れ警報器では、以下のような問題がある。
【０００９】
すなわち、図９（ａ）に示すようなテスト方法をとった場合、ブタンガスが検知素子に付着するので、警報復旧のためには付着したガスを焼却して除去する必要があり、面倒であった。
【００１０】
また、警報器１１０は、通常、誤報防止のための誤報防止時間（３０秒〜３分）を設けており、その誤報防止時間の間に、検知素子に付着したガスを焼却してから検知素子によるガス検出を行っている。そのため、テストに要する時間がかかっており、迅速なテストが望まれていた。
【００１１】
図９（ｂ）に示すようなテスト方法をとった場合、ガスの分子量が小さいため、先述したようなガスの付着はないが、メタンガスや水素ガスは発火しやすく、ＣＯガスは殺傷能力が高いため、危険度が高く、管理も面倒であり、有資格者の作業者を雇うなどのコスト高の原因となっていた。
【００１２】
図９（ｃ）に示すようなテスト方法をとった場合、ドライヤーを持ち歩くことや、天井などに取り付けられた警報器１１０までドライヤーＤを引き回すことは、作業者の大きな負担となっていた。
【００１３】
本発明は、上記問題を解決するための提案され、コストがかからず、簡単、スピーディーに、動作テストを行うことのできるガス漏れ警報器を提供することを目的としている。
【００１４】
【課題を解決するための手段】
上記目的を達成するために、請求項１では第１の本発明を提案しており、電源のオン、オフを監視する電源監視回路と、この電源監視回路によって電源のオンが検知される毎に計数を行うカウントメモリー回路と、このカウントメモリー回路が予め設定した計数値を計時したときには、点検モードを開始して擬似試験信号を出力させる擬似試験信号発生回路と、ガス検知回路から出力されるガス検知信号が所定の警報レベルを超えた場合、あるいは擬似試験信号の出力を受けたときに、警報手段を作動する信号処理部と、カウントメモリー回路が計時を開始する電源のオン時点から所定の時間が経過した時点、あるいは、その所定の時間が経過するまでの間の点検モードが開始された時点で、カウントメモリー回路の計数値をクリアするリセット回路とを備えている。
【００１５】
請求項２は、第１の本発明の付加機能を提案しており、ガス検知回路、熱、煙などを検知して検知信号を出力する火災検知回路と、これらの検知信号を判別するための信号処理部とを備えており、擬似試験信号発生回路から出力される擬似試験信号を、ガス検知回路、火災検知回路のそれぞれに対応した異なる擬似試験信号を出力させて、ガス漏れ、火災検知に対応した警報を出力させる構成としている。
【００１６】
請求項３は、第２の本発明を提案しており、点検スイッチと、この点検スイッチが操作されたときには、点検モードを開始して擬似試験信号を出力させる擬似試験信号発生回路と、ガス検知回路から出力されるガス検知信号が所定の警報レベルを超えたとき、あるいは、擬似試験信号の出力を受けたときに、警報手段を作動する信号処理部とを備えている。
【００１７】
請求項４〜８は、第２の本発明の付加機能をそれぞれ提案している。請求項４は、点検スイッチは押釦スイッチであり、この押釦スイッチが押圧保持されている間、擬似試験信号を出力させる構成としている。
【００１８】
請求項５は、点検スイッチは残留型押釦スイッチであり、それを一度押圧操作すれば、所定時間の間、擬似試験信号を出力させる構成としている。
【００１９】
請求項６は、点検スイッチは、点検モードと通常モードとを選択的にスライド操作し、点検モードに切替操作されたときには、擬似試験信号を出力させる構成としている。
【００２０】
請求項７は、ガス検知回路、熱、煙などを検知して検知信号を出力する火災検知回路と、これらの検知信号を判別するための信号処理部とを備え、かつ、点検スイッチは、押釦スイッチで構成されており、その押釦スイッチを押圧操作する毎に、ガス検知回路、火災検知回路のそれぞれに対応した異なる擬似試験信号を出力させて、ガス漏れ、火災検知に対応した警報を出力させる構成としている。
【００２１】
請求項８は、ガス検知回路、熱、煙などを検知して検知信号を出力する火災検知回路と、これらの検知信号を判別するための信号処理部とを備え、かつ、点検スイッチは、押釦スイッチで構成されており、その押釦スイッチを押圧操作すると、ガス検知回路、火災検知回路のそれぞれに対応した異なる擬似試験信号を出力させて、ガス漏れ、火災検知に対応した警報を同時に出力させる構成としている。
【００２２】
請求項９〜１１は、第１、２共通の付加機能を提案している。請求項９は、最初の電源投入時点から予め通電初期誤報防止時間として設定された時間の間は、警報手段の作動を禁止する警報禁止機能を備えており、信号処理部は、擬似試験信号を受けたときには、警報禁止機能を無効にして警報手段を作動させる構成としている。
【００２３】
請求項１０は、擬似試験発生回路から出力される擬似試験信号を、住宅情報盤などの他の監視受信機器に送出するための移報手段を更に備えた構成としている。
【００２４】
請求項１１は、警報手段が出力する警報の出力時間を規定する警報タイマーを更に備えた構成としている。
【００２５】
請求項１２は、第１、２の本発明において、火災検知機能を付加した際に警報動作の識別を容易にする構成を提案しており、ガス漏れ検知時、火災検知時における警報動作を、報知ランプ、アラーム、音声報知などを用いて識別できる構成としている。
【００２６】
【発明の実施の形態】
以下に、本発明の実施の形態について、図面とともに説明する。図１は、第１の本発明の内部構成の一例を示す図である。
【００２７】
このものは、ガスを検知し、その濃度を含むガス検知信号を出力するガス検知回路１０と、信号処理部を構成し、ガス検知回路１０から出力されるガス検知信号が所定の警報レベルを超えた場合、あるいは擬似試験信号の出力を受けたときに、警報出力回路１５を作動するマイコン１１と、電源回路１７のオン、オフを監視する電源監視回路１２と、予め設定した計数値を保持し、電源監視回路１２によって電源のオンが検知される毎に計数を行うカウントメモリー回路１３と、カウントメモリー回路１３が計数値を計時したときには、点検モードを開始して擬似試験信号を出力させる擬似試験信号発生回路１４と、表示ランプやスピーカなどで構成される警報出力回路１５と、電源１６と、電源１６をオン、オフさせる電源回路１７と、電源のオン時点から所定の時間が経過した時点、あるいは、その所定の時間が経過するまでの間の点検モードが開始された時点で、カウントメモリー回路１３の計数値をクリアするリセット回路１８とを備えている。
【００２８】
ガス検知回路１０は、少なくとも、検知対象のガスを検知するガス素子１０Ａを少なくとも備えており、ガス素子１０Ａにガスが付着するほどその抵抗値が小さくなり、結果として、Ｐ地点における電圧が大きくなり、その分大きな電圧がガス検知信号としてマイコン１１に入力される。
【００２９】
すなわち、マイコン１１には、ガス素子１０Ａにガスが付着するほど大きな電圧が入力されるので、大きな電圧が入力されるほど、ガス素子１０Ａの周囲ガス濃度は高いと判断される。
【００３０】
警報出力回路１５は、警報タイマを備えている。この警報タイマは、警報を出力する時間が設定されており、警報出力から一定時間経過すれば自動的に警報をやめる。設定内容としては、ガス検知警報のみの出力時間、ガス検知警報と火災検知警報とを行う場合は各々の出力時間が考えられる。
【００３１】
このような構成の第１の本発明によれば、図２に示す動作をすることができる。すなわち、電源が投入されてオンされれば（１００）、電源回路１７が作動して、警報器１の回路全体に電源が供給される。
【００３２】
これを電源監視回路１２が監視しており、マイコン１１にこれを通知して、タイマ（ここではマイコン１１に内蔵）を起動させて計時を始めさせる（１０１）。
【００３３】
この計時時間をマイコン１１が監視しており、それから、通電初期誤報防止時間として予め設定された一定時間の間、マイコン１１は誤報防止処理を行い、電源投入時点から一定時間の間は、警報出力回路１５の作動を禁止するが、擬似試験信号を受けたときは、警報出力回路１５の作動を有効として作動させる（１０２）。
【００３４】
すなわち、通電初期誤報防止時間の間は、後述する通常モード処理実行中にガス検知信号が出力されても警報をしないが、後述する点検モード処理実行中に擬似試験信号が出力されれば警報をするのである。
【００３５】
また、電源投入されたときには、電源監視回路１２のマイコン１１に対する通知により、カウントメモリー回路１３によりカウントをさせて、カウント値を１つインクリメントさせる（１０３）。そのときのカウント値（計数値ともいう）が、予め設定された値であれば、リセット回路１８によってその計数値を０にリセットさせ（１０５）、点検モード処理を開始する（１０６）。
【００３６】
このような点検モード処理が開始されると、擬似試験信号出力回路１４からは、そのトランジスタのベースにはマイコン１１からの電圧が印加されて、エミッタに印加された電源からの電圧が増幅されてコレクタから出力される。すなわち、トランジスタはスイッチング回路の機能を果たしている。
【００３７】
この増幅された電圧が擬似試験信号としてマイコン１１に入力されるが、このとき、マイコン１１は、警報出力回路１５を作動させて警報を出力させる。なお、警報出力態様は、表示ランプによる表示、スピーカによるアラームや音声メッセージの出力などがあり、限定されない。
【００３８】
そのような点検モードでは、擬似試験信号を出力してから一定時間が経過したことをマイコン１１が判断すれば、点検モードを終了して後述する通常モードに移行する。
【００３９】
一方、ステップ１０４において、タイマの計時時間が所定の時間を計時していれば（１０７）、マイコン１１は、リセット回路１８によってその計数値を０にリセットさせ（１０８）、通常モード処理を開始する（１０９）。
【００４０】
このような通常モード処理が開始されると、ガス検知回路１０より入力されているガス検知信号によりその濃度レベルを判別し、それが所定の警報レベルを超えていれば、警報出力回路１５を作動させて警報を出力させる。
【００４１】
図３は、第１の本発明の構成の他例を示す図である。この警報器１Ａは、先述の警報器１の構成に、熱、煙などを検知して検知信号を出力する火災検知回路１９を付加した構成としている。
【００４２】
マイコン１１は、通常モード処理においては、ガス検知回路１０からのガス検知信号入力に基づく警報をするとともに、火災検知回路１９からの火災検知信号入力に基づく警報も行う。このとき、どの警報かを明らかとするため、表示ランプの点灯あるいは点滅態様に区別をつけたり、アラームの出力態様に区別をつけたり、音声メッセージなどで警報種別を規定する。
なお、火災検知信号の信号フォーマットは、ガス検知信号のそれとは異なるフォーマットとしている。
【００４３】
また、点検モード処理においては、擬似試験信号発生回路１４より、ガス検知信号と同フォーマットの擬似試験信号と、火災感知信号と同フォーマットの擬似試験信号とを順次出力させ、それぞれの試験信号に応じた警報を順次、警報出力回路１５よりさせる。なお、それぞれ警報態様は、通常モードと同様である。また、それぞれのフォーマットの作成は、マイコン１１が擬似試験信号発生回路１４への電圧印可間隔を変化させればよい。そうすると、異なるパルスが擬似試験信号として出力されるようになる。
【００４４】
なお、リセット回路１８は、ここでは独立して設けてあるが、マイコン１１に内蔵させて構成してもよい。
【００４５】
次に、第２の本発明について説明する。図４は、第２の本発明の内部構成の一例を示す図であり、図５は、この外観例を示す図である。この警報器１Ｂは、先述の警報器１の構成とは、点検スイッチＳＷを付加したことと、カウントメモリー回路１３とリセット回路１８とを備えていない点が相違する。
【００４６】
このものは、図６に示す動作をなす。なお、それぞれのステップ処理の詳細については、図２と同様であるので説明を省略する。
電源がオンされると、マイコン１１は内蔵するタイマを起動させ、一定時間、誤報防止処理を行ってから通常モード処理を行う（２００〜２０３）。
【００４７】
ところが、通常モード処理が開始されてから点検スイッチＳＷが操作されたときには、マイコン１１は点検モード処理を行う（２０４，２０５）。
【００４８】
なお、点検スイッチＳＷは、押釦スイッチ、残留型押釦スイッチ、スライド型スイッチなどで構成することができる。
【００４９】
押釦スイッチで構成する場合、押圧保持されている間、それを知らせる信号をマイコン１１に出力するようにし、マイコン１１は、押釦スイッチからの信号を受けている間は、擬似試験信号発生回路１４に電圧印可をして擬似試験信号を出力させつづける構成とする。
【００５０】
残留型押釦スイッチで構成する場合、それを一度押圧操作すれば、その旨を知らせる信号をマイコン１１に一度出力するようにし、マイコン１１は、この信号を受けたときには、一定時間の間、擬似試験信号を出力させつづける構成とする。
【００５１】
スライド型スイッチで構成する場合、点検モードと通常モードとを選択的にスライド操作して、それぞれに対応する信号をマイコン１１に出力するような構成とし、マイコン１１は、点検モードの信号が来たら、擬似試験信号を出力させる構成とする。
【００５２】
図７は、第２の本発明の内部構成の他例を示す図である。
【００５３】
この警報器１Ｃは、先述の警報器１Ｂの構成に、熱、煙などを検知して検知信号を出力する火災検知回路１９を付加した構成としている。なお、点検スイッチＳＷは、先述の押釦スイッチあるいはスライドスイッチで構成している。
【００５４】
このものでは、点検スイッチＳＷが押圧保持される毎に、マイコン１１は、擬似試験信号発生回路１４より、ガス検知信号と同フォーマットの擬似試験信号、火災感知信号と同フォーマットの擬似試験信号とを順次出力させ、それぞれの試験信号に応じた警報を順次警報出力回路１５よりさせる。
【００５５】
なお、点検スイッチＳＷが操作される毎に、ガス検知警報、火災検知警報を順次出力する以外に、点検スイッチＳＷを一度押圧操作すると、自動的にガス、火災両方の警報機能の点検ができるようにしてもよい。
【００５６】
そのためには、マイコン１１が、点検スイッチＳＷが押圧保持されている間、擬似試験信号発生回路１４より、ガス検知信号と同フォーマットの擬似試験信号、火災感知信号と同フォーマットの擬似試験信号とを順次出力させ、それぞれの試験信号に応じた警報を順次警報出力回路１５よりさせる。
【００５７】
このとき、どの警報かを明らかとするため、表示ランプの点灯あるいは点滅態様に区別をつけたり、アラームの出力態様に区別をつけたり、音声メッセージなどで警報種別を規定する。
【００５８】
なお、上記第１、２の本発明では、図８に示すように、移報回路２０を設けて、擬似試験発生回路１４からの擬似試験信号を、住宅情報盤などの監視受信機器に送出するようにしてもよい。こうすれば、住宅情報盤などでも警報されるため、利便であり、監視受信機器における警報動作テストも兼ねることができる。
【００５９】
このような場合、監視受信機器より先に警報器１Ｄの電源を投入するのが望ましい。こうすれば、監視受信機器に警報器１Ｄの断線検知機能がある場合でも、警報器１Ｄには電源が投入されているため、監視受信機器にて警報器１Ｄの断線と判断されてしまうことがない。
【００６０】
なお、ここでは、先述の警報器１に移報回路２０を付加しているが、これには限られず、警報器１Ａ〜１Ｃに移報回路２０を付加してもよい。
【００６１】
【発明の効果】
以上の説明からも理解できるように、本発明の請求項１では、電源投入される度にカウントされ、所定時間内のカウント回数が、一定回数に達すれば自動的に点検モードとなり擬似試験信号により動作テストができるので、コストがかからず、簡単、スピーディーに、動作テストを行うことができる。
【００６２】
また、電源投入から所定時間が経過したらカウント数をリセットするため、所定時間内に電源投入を繰り返さないとカウント値を一定値にすることができなくなり、停電やブレーカダウンなどで警報器への電源が遮断された後に復旧した場合に、その時点までに蓄積されたカウント値が一定数に達してしまって擬似試験信号が出力され警報がでることがない。そのため、復旧後に、復旧者や周囲の人が驚くことがない。
【００６３】
更に、電源投入から所定時間経過せずとも、点検モードになればカウント値がリセットされるため、点検モードが終わり通常モードが再開された後、停電などの復旧のため電源投入した時点では警報出力されず、復旧者や周囲の人が驚くことがない。
【００６４】
請求項２では、ガス検知回路と火災試験回路のそれぞれに対応する擬似試験信号により、ガス警報と火災警報の両者をするため、従来はそれぞれ別々にしかできなかったテストを、一度の作業ですることができ、利便である。
【００６５】
請求項３では、点検スイッチが操作されたときには点検モードとなって、動作テストをするため、点検スイッチの操作だけで動作テストができ、利便である。
【００６６】
請求項４では、点検スイッチは押釦スイッチであり、この押釦スイッチが押圧保持されている間、擬似試験信号を出力させる構成としているので、押釦スイッチの押圧保持しつづけるかぎり警報テストを続けることができ、利便である。
【００６７】
請求項５は、点検スイッチは残留型押釦スイッチであり、それを一度押圧操作すれば、所定時間の間、擬似試験信号を出力させる構成としているので、押釦スイッチのように押圧操作を続けることなく、一度タッチして押すだけで動作テストができ、作業者の負担が軽減される。
【００６８】
請求項６は、点検スイッチは、点検モードと通常モードとを選択的にスライド操作し、点検モードに切替操作されたときには、擬似試験信号を出力させる構成としているので、警報器が実行しているのが、通常モードか点検モードかを容易に確認できる。
【００６９】
また、スライドするだけで、両モードを選択的に実行でき、利便であり、作業者の負担が軽減する。
【００７０】
請求項７では、点検スイッチを押すごとに、ガス検知回路と火災試験回路のそれぞれに対応する擬似試験信号により、ガス警報と火災警報の両者を順次するため、従来はそれぞれ別々にしかできなかったテストを、点検スイッチを押すだけで一度にすることができ、利便である。
【００７１】
請求項８では、点検スイッチを押している間は、ガス検知回路と火災試験回路のそれぞれに対応する擬似試験信号により、ガス警報と火災警報の両者を同時にするため、従来はそれぞれ別々にしかできなかったテストを、点検スイッチを押しつづけるだけで一度にすることができ、利便である。
【００７２】
請求項９では、最初の電源投入時点から予め通電初期誤報防止時間として設定された時間の間は、警報手段の作動を禁止する警報禁止機能を備えているので、ガス素子に付着したガスによる誤報が防止できる。
【００７３】
また、擬似試験信号があるときには、警報禁止機能を無効にして警報手段を作動させるので、通電初期誤報防止時間内でも動作テストができ、更に動作テストの所要時間の短縮化が図れる。
【００７４】
請求項１０では、擬似試験発生回路から出力される擬似試験信号を、住宅情報盤などの他の監視受信機器に送出するための移報手段を更に備えた構成としているので、住宅情報盤など、警報器から離れた場所の機器からも警報が出力され、正常な動作をしていることが確認でき、利便である。
【００７５】
請求項１１では、警報手段が出力する警報の出力時間を規定する警報タイマーを更に備えた構成としているので、点検モード実施中に、警報が出力され続けることがなく、復旧操作をする手間が省け、作業者の手間を軽減できる。
【００７６】
特に、点検モードにおける警報が出力されてから、警報タイマーで規定される警報出力時間が経過すれば、自動的に通常モードへの移行され、警報復旧とモード切替操作が不要となり、作業者の負担を軽減できる。
【００７７】
請求項１２は、ガス漏れ検知時、火災検知時における警報動作を、報知ランプ、アラーム、音声報知などを用いて識別できる構成としているので、どの警報動作をしているのかが容易に識別できる。
【図面の簡単な説明】
【図１】第１の本発明の内部構成の一例を示す図
【図２】第１の本発明の動作について示すフローチャート
【図３】第１の本発明の内部構成の他例を示す図
【図４】第２の本発明の内部構成の一例を示す図
【図５】第２の本発明の外観例を示す図
【図６】第２の本発明の動作について示すフローチャート
【図７】第２の本発明の内部構成の他例を示す図
【図８】第１，２の本発明の更に他例を示す図
【図９】従来の警報器動作テストについて示す図
【符号の説明】
１，１Ａ〜１Ｄ・・・ガス漏れ警報器
１０・・・ガス検知回路
１１・・・マイコン
１２・・・電源監視回路
１３・・・カウントメモリー回路
１４・・・擬似試験信号発生回路
１５・・・警報出力回路
１６・・・電源
１８・・・リセット回路
１９・・・火災検知回路
２０・・・移報回路
ＳＷ・・・点検スイッチ
【図１】
2004145824.tif 000003
【図２】
2004145824.tif 000004
【図３】
2004145824.tif 000005
【図４】
2004145824.tif 000006
【図５】
2004145824.tif 000007
【図６】
2004145824.tif 000008
【図７】
2004145824.tif 000009
【図８】
2004145824.tif 000010
【図９】
2004145824.tif 000011